(57)【特許請求の範囲】
【請求項１】
底板(1)の周囲に各一対の側板(2)及び端板(3)を連設し、側板(2)と端板(3)の側端同士を折込片(4)で繋ぎ、端板(3)の上端に内端板(6)を連設し、折込片(4)に底板(1)のコーナーから延びる斜折線(9)を設け、折込片(4)の斜折線(9)より端板(3)側に位置する部分を端板(3)の内面に貼り付け、折込片(4)を斜折線(9)に沿って二つ折りにし、端板(3)と内端板(6)との間に挟み込む簡易組立式段ボール箱において、前記折込片(4)と端板(3)の重なり合う部分を厚さ方向に押し潰し、折込片(4)の斜折線(9)を、折目と切目とが断続するリード罫とし、前記一方の側板(2)の上端に連設した蓋板(7)の先端部を、他方の側板(2)の上端に連設した蓋受片(8)に重ねて天面を閉じるようにし、蓋受片(8)と蓋板(7)の重なり合う部分を厚さ方向に押し潰し、前記折込片(4)と端板(3)の重なり合う部分である押潰部(A)の押し潰しを、蓋受片(8)と蓋板(7)の重なり合う部分である押潰部(B)の押し潰しよりも弱くして、前者の押潰部(A)が後者の押潰部(B)ほど薄くならないようにしたことを特徴とする簡易組立式段ボール箱。
【発明の詳細な説明】
【技術分野】
【０００１】
この発明は、使用時に偏平状態から簡単に組み立てられる段ボール箱に関する。
【背景技術】
【０００２】
従来、簡単に組み立てられる段ボール箱として、下記特許文献１には、図４及び図５に示すようなものが記載されている。
【０００３】
この段ボール箱のブランクは、図４に示すように、底板５１の周囲に各一対の側板５２及び端板５３を連設し、側板５２の両側端に折込片５４を、端板５３の先端に内端板５５をそれぞれ連設すると共に、折込片５４に底板５１のコーナー側から離反方向に延びる斜折線５６を設け、折込片５４と端板５３との間に切溝を介在させたものとされている。
【０００４】
このブランクを段ボール箱の使用者に提供する際には、折込片５４の斜折線５６より端板５３側に位置する部分を、その糊付部５７にホットメルト接着剤を塗布し、側板５２を内側に折り曲げて、底板５１に重ねることにより、端板５３の内面に貼り付けておく。
【０００５】
そして、段ボール箱を組み立てて使用する際には、図５に示すように、一対の端板５３を起立させると共に、折込片５４を斜折線５６に沿って二つ折りにし、これに伴い、一対の側板５２を起立させ、その後、内端板５５を内側下方へ折り曲げ、端板５３と内端板５５との間に折込片５４を挟み込んで保形する。
【０００６】
【特許文献１】実開平５−１６６１９号公報
【発明の開示】
【発明が解決しようとする課題】
【０００７】
しかしながら、上記のような段ボール箱では、折込片５４と端板５３との間の切溝の存在により、製造時の打抜不良や貼付位置のずれが発生しやすくなる。
【０００８】
その対策として、折込片５４と端板５３とを罫線を介して繋ぐと、その境界部分における折目の反発により、組み立てに際し、端板５３及び側板５２を起こしにくくなり、組立状態では、端板５３が外側へ傾き、内端板５５が内側へ迫り出す傾向が生じて、保形性が損なわれるという問題がある。
【０００９】
そこで、この発明は、組み立てが容易で、保形性に優れ、良好な外観を呈する段ボール箱を提供することを課題とする。
【課題を解決するための手段】
【００１０】
上記課題を解決するため、この発明は、底板の周囲に各一対の側板及び端板を連設し、側板と端板の側端同士を折込片で繋ぎ、端板の上端に内端板を連設し、折込片に底板のコーナーから延びる斜折線を設け、折込片の斜折線より端板側に位置する部分を端板の内面に貼り付け、折込片を斜折線に沿って二つ折りにし、端板と内端板との間に挟み込む簡易組立式段ボール箱において、前記折込片と端板の重なり合う部分を厚さ方向に押し潰し、折込片の斜折線を、折目と切目とが断続するリード罫とし、前記一方の側板の上端に連設した蓋板の先端部を、他方の側板の上端に連設した蓋受片に重ねて天面を閉じるようにし、蓋受片と蓋板の重なり合う部分を厚さ方向に押し潰し、前記折込片と端板の重なり合う部分である押潰部の押し潰しを、蓋受片と蓋板の重なり合う部分である押潰部の押し潰しよりも弱くして、前者の押潰部が後者の押潰部ほど薄くならないようにしたのである。
【発明の効果】
【００１１】
この発明に係る段ボール箱では、リード罫の斜折線を設けた折込片と端板の押し潰しにより、その境界部分における折目の反発が抑制されるので、端板及び側板を容易に起こして組み立てることができ、組立状態で端板及び内端板がほぼ直立して、美観に優れた外見を呈する。
【００１２】
また、蓋受片と蓋板の押し潰しにより、蓋板の先端部の浮き上がりも抑制されるので、外見の印象が向上するほか、積上時の安定性も向上する。
【００１３】
さらに、折込片と端板の押し潰しを、蓋受片と蓋板の押し潰しよりも弱くして、前者が後者ほど薄くならないようにすると、製函機を用いて組み立てる際、折込片が所定の位置以外で折れ曲がり製函不良が発生する現象が防止される。
【発明を実施するための最良の形態】
【００１４】
以下、この発明の実施形態を添付図面に基づいて説明する。
【００１５】
この段ボール箱は、切花の輸送に使用されるものであり、図１に示すようなブランクから形成される。このブランクでは、長方形の底板１の長辺に一対の側板２が、短辺に一対の端板３が連設され、側板２と端板３の側端同士は折込片４で繋がれている。端板３の先端には額縁５を介して内端板６が連設され、一方の側板２の先端には蓋板７が、他方の側板２の先端には蓋受片８がそれぞれ連設されている。
【００１６】
折込片４には、底板１のコーナー側から離反方向に延びる斜折線９が設けられ、この斜折線９は、折目と切目とが断続するリード罫とされている。
【００１７】
内端板６の先端には係合突起６ａが設けられ、底板１の両端には、端板３との境界に沿って係合穴１ａが設けられている。また、内端板６には、解体用の指穴６ｂが設けられている。側板２の先端には、２個の係合突起２ａが蓋受片８への切込により設けられ、蓋板７の先端には、２個の係合凹部７ａが設けられている。
【００１８】
折込片４の全体と、端板３の組立時に折込片４と重なる部分とは、厚さ方向に押し潰されて押潰部Ａが形成され、蓋板７の先端部と、蓋受片８の全体もまた、厚さ方向に押し潰されて押潰部Ｂが形成されている。さらに、底板１の係合穴１ａの内側に臨む部分も、組立時の係合突起６ａの抵抗を軽減するため、押潰部Ａと同様に押し潰されている。
【００１９】
ここで、押潰部Ａの押し潰しは、押潰部Ｂの押し潰しよりも弱く、押潰部Ａが押潰部Ｂほど薄くならないようにされている。これにより、押潰部Ａでは、段ボールの中しんが完全に潰れることがなく、曲げに対してある程度の抵抗力が確保される。
【００２０】
このようなブランクを段ボール箱の使用者に提供する際には、図２に示すように、蓋板７をその基端に繋がる側板２に対し折り曲げることなく、一対の側板２を内側に折り曲げて底板１に重ね、折込片４の斜折線９より端板３側に位置する部分をホットメルト接着剤で端板３の内面に貼り付けておく。この状態では、嵩張ることなく輸送・保管できる。
【００２１】
一方、段ボール箱を組み立てて使用する際には、図３に示すように、一対の端板３を起立させると共に、折込片４を斜折線９に沿って二つ折りにし、これに伴い、一対の側板２を起立させ、その後、額縁５を内側水平方向へ、内端板６を下方へ折り曲げ、端板３と内端板６との間に折込片４を挟み込み、係合突起６ａを係合穴１ａに係合させると、段ボール箱が組立状態に保持される。
【００２２】
そして、箱内に切花を収納し、蓋受片８を内側水平方向へ折り曲げ、蓋板７を閉じ、係合突起２ａを係合凹部７ａに係合させて封緘すると、蓋板７の先端側とその下方の側板２とのずれが防止され、保形性が向上する。
【００２３】
上記のような段ボール箱では、リード罫の斜折線９を設けた折込片４と端板３の重なり合う部分を厚さ方向に押し潰して押潰部Ａを形成したことから、その境界部分における折目の反発が抑制され、端板３及び側板２を容易に起こして組み立てることができ、組立状態で端板３及び内端板６がほぼ直立して、美観に優れた外見を呈する。
【００２４】
また、蓋受片８と蓋板７の重なり合う部分も厚さ方向に押し潰して押潰部Ｂを形成したことから、蓋板７の先端側が浮き上がることなく、蓋板７が水平な状態となり、外見の印象が向上するほか、積上時の安定性も向上する。
【００２５】
さらに、押潰部Ａの押し潰しを、押潰部Ｂの押し潰しよりも弱くして、前者が後者ほど薄くならないようにしていることから、製函機を用いて組み立てる際、折込片４が所定の位置以外で折れ曲がり製函不良が発生する現象が防止される。
【００２６】
なお、上記実施形態では、蓋板７で天面が閉じられるものを例示したが、蓋板７及び蓋受片８を省略し、天面が開放されたトレーとしてもよい。
【図面の簡単な説明】
【００２７】
【図１】この発明に係る簡易組立式段ボール箱のブランクを示す図
【図２】同上の折畳貼付状態を示す斜視図
【図３】同上の組立開蓋状態を示す斜視図
【図４】従来の簡易組立式段ボール箱のブランクを示す図
【図５】同上の組立過程を示す斜視図
【符号の説明】
【００２８】
１  底板
１ａ  係合穴
２  側板
２ａ  係合突起
３  端板
４  折込片
５  額縁
６  内端板
６ａ  係合突起
６ｂ  指穴
７  蓋板
７ａ  係合凹部
８  蓋受片
９  斜折線
Ａ，Ｂ  押潰部
【図１】
0005053886.tif 000002
【図２】
0005053886.tif 000003
【図３】
0005053886.tif 000004
【図４】
0005053886.tif 000005
【図５】
0005053886.tif 000006